Podtech/llm-jp-corpus-v4-ja_patent huggingface dataset:
(57)【特許請求の範囲】
【請求項１】
水に浸潤剤を添加した水系消火薬剤に、発泡成分を添加した消火薬剤であって、
前記浸潤剤としてのリン酸アンモニウムが、前記水系消火薬剤の全体に対し３３重量％〜４７重量％の割合で添加され、前記発泡成分が、前記浸潤剤入り水系消火薬剤１００に対し０．５重量％〜６．０重量％の割合で添加されていることを特徴とする消火薬剤。
【請求項２】
請求項１に記載の消火薬剤と、前記消火薬剤を放出するための発泡装置とを備え、前記消火薬剤は、前記発泡装置を通って一部が発泡した状態で放出されることを特徴とする泡消火設備。
【発明の詳細な説明】
【技術分野】
【０００１】
本発明は、消火性能と延焼防止性能を併せ持つ消火薬剤及び消火設備に関する。
【背景技術】
【０００２】
各種の消火設備で使用されている消火薬剤として、水に浸潤剤を添加した水系消火薬剤や機械泡消火薬剤が知られている。水系消火薬剤と機械泡消火薬剤には、それぞれ一長一短があり、水系消火薬剤は消火性能に優れるものの、防火対象物にかかった薬剤は直ちに他方へ流れ落ちてしまうため、延焼防止性能に難があり、一方、機械泡消火薬剤は防火対象物に付着して容易に脱落しないため延焼防止性能に優れるものの、立体物などの隙間には入り込み難いため、消火性能に難がある。このため、消火設備では、防火対象物に応じて選択して使用している（例えば、特許文献１、２参照）。
【先行技術文献】
【特許文献】
【０００３】
【特許文献１】特開２０１１−５５８７３号公報
【特許文献２】特開２０１４−８３０９号公報
【発明の概要】
【発明が解決しようとする課題】
【０００４】
上記のように、水系消火薬剤と機械泡消火薬剤にはそれぞれ一長一短があり、消火設備では、防火対象物に応じて選択して使用されているのが実情であるが、消火性能と延焼防止性能を併せ持つ消火薬剤が望まれる。
本発明者等は、このような要望に応えるべく試験研究を重ねた結果、水系消火薬剤に発泡成分を添加することに着目し、本発明を完成するに至った。
【０００５】
本発明の目的は、消火性能と延焼防止性能を併せ持つ消火薬剤及び消火設備を提供することにある。
【課題を解決するための手段】
【０００６】
上記の目的を達成するために、請求項１に記載の発明は、水に浸潤剤を添加した水系消火薬剤に、発泡成分を添加したことを特徴とする。
【０００７】
請求項２に記載の発明は、請求項１に記載の、前記浸潤剤入り水系消火薬剤に添加した前記発泡成分の添加量は、前記浸潤剤入り水系消火薬剤１００に対し０．５重量％〜６．０重量％の割合で添加されていることを特徴とする。
【０００８】
請求項３に記載の発明は、泡消火設備であって、請求項１又は２のいずれか１項に記載の消火薬剤を発泡させ放出するようにしたことを特徴とする。
【発明の効果】
【０００９】
請求項１に記載の消火薬剤によれば、水に浸潤剤を添加した水系消火薬剤に、発泡成分を添加したので、消火設備からの放出時に発泡装置を通すことにより消火薬剤の一部が発泡した状態で放出され、泡を含んだ消火薬剤が防火対象物にかかることから、浸潤剤が添加されている消火薬剤が隙間等へ浸透することによる消火性能を持つとともに、泡による付着性により防火対象物からの直ぐの脱落が阻止され一定時間付着した状態が保たれることによる延焼防止性能を持つことができる。
また、消火性能と延焼防止性能を併せ持つことにより、消火効果と延焼防止効果を得るのに必要な消火薬剤の量を従来の消火薬剤に比べ少なくすることができ、コストの削減を図ることができる。
【００１０】
請求項２に記載の消火薬剤によれば、前記浸潤剤入り水系消火薬剤に添加した前記発泡成分の添加量は、前記浸潤剤入り水系消火薬剤１００に対し０．５重量％〜６．０重量％の割合で添加されているので、消火性能と延焼防止性能を併せ持つ消火薬剤を得ることができる。
【００１１】
請求項３に記載の泡消火設備によれば、泡を含んだ消火薬剤を放出するので、放出された消火薬剤は、消火性能と延焼防止性能を併せ持ち、消火効果と延焼防止効果を発揮することができ、これにより、消火効果と延焼防止効果を得るのに必要な消火薬剤の量が少なくなるので、結果として、設備がコンパクトなものとなり、設備コストの削減、占有空間の削減が可能となる。
【発明を実施するための形態】
【００１２】
以下、本発明に係る消火薬剤の実施の形態の一例を詳細に説明する。
本例の消火薬剤は、水に浸潤剤を添加した水系消火薬剤に、発泡成分を添加したものからなる。水に浸潤剤を添加した水系消火薬剤にあっては、公知の水系消火薬剤が使用されるものであって、本例では燃焼反応の負触媒効果をもたらす成分としてリン酸アンモニウムが使用されている。本例で使用される水系消火薬剤において、リン酸アンモニウムは全体の３３重量％〜４７重量％の割合で添加されている。
【００１３】
水系消火薬剤に添加される発泡成分にあっては、蛋白泡消火薬剤、合成界面活性剤泡消火薬剤などの公知の発泡成分が使用される。浸潤剤入り水系消火薬剤に添加した発泡成分の添加量は、浸潤剤入り水系消火薬剤１００に対し０．５重量％〜６．０重量％の割合で添加されている。
【００１４】
このように配合された消火薬剤は、消火設備からの放出時に、泡ノズルや泡ヘッド等の発泡装置を通すことにより放出される。発泡装置を通った消火薬剤は、一部が発泡した状態で放出され、泡を含んだ消火薬剤が防火対象物にかかる。消火薬剤は、添加されている浸潤剤の作用により防火対象物の隙間等へ浸透することにより消火性能を発揮するとともに、含まれている泡により防火対象物の表面に付着し、防火対象物からの直ぐの脱落が阻止され一定時間付着した状態が保たれることにより延焼防止性能を発揮する。
【００１５】
本例では、浸潤剤入り水系消火薬剤に添加した発泡成分の添加量は、浸潤剤入り水系消火薬剤１００に対し０．５重量％〜６．０重量％の割合で添加されている。浸潤剤入り水系消火薬剤に添加した発泡成分の添加量を、浸潤剤入り水系消火薬剤１００に対し０．５重量％〜６．０重量％の割合で添加することにより、消火性能と延焼防止性能を併せ持つ消火薬剤を得ることができる。
発泡成分の添加量が０．５重量％未満であると、放出された消火剤の発泡率が低く、防火対象物にかかった消火剤は延焼防止性能を発揮するまでに至らず、また６．０重量％を超えると発泡率が高くなり、泡が消火薬剤の浸潤剤が添加されている消火薬剤の浸透を阻止し消火性能に難が生じる。
【００１６】
上記の消火薬剤は、泡ノズルや泡ヘッド等の発泡装置を備えた泡消火設備で使用される。
泡消火設備は、泡を含んだ消火薬剤を放出するので、放出された消火薬剤は、消火性能と延焼防止性能を併せ持ち、消火効果と延焼防止効果を発揮することができ、これにより、消火効果と延焼防止効果を得るのに必要な消火薬剤の量が少なくなるので、結果として、泡消火設備がコンパクトなものとなり、泡消火設備コストの削減、占有空間の削減が可能となる。